(57)【要約】【課題】物干し竿の下面である床面、地面は作業上歩行可能なスペースとしなければならない又言い変れば障害物となる盆栽、植木、クーラ室外機、自転車置き場等には、設置することは困難である。【解決手段】物干し竿の端面に立つてロープ横送り部分（１１）を手繰ることにより物干しが可能になる、物干し竿の下面の歩行が必要なく作業が出来る発明である。【選択図】図６
2008264478.tif 000002
【特許請求の範囲】
（イ）二つ割りケース（１）の内側へ、滑車（２）を装着させる為、皿頭軸（３）及び平ワッシヤーと六角ナット（４）、コーナー部を、締付ボルト（５）によって組み立てる。
（ロ）金属パイプ（６）の内側へ、所定の長さの送りロープ（７）を通す。
（ハ）パイプ内を貫通させた送りロープ（７）の両端を組み立てられた、ケースの滑車（２）外周をＵターンさせる。
（ニ）組み立てた、一対二組の二つ割ケース（１）の円筒側を金属パイプ（６）の内側へ圧入する。
（ホ）金属パイプ（６）の外周下側に位置する送りロープ（７）はテンションをかけた状態で締付ホルダー（９）により接続させる。
（ヘ）物干しハンガー（１２）はロープの横送りに追従させる為のクランプ部（１３）ととクランプ力源としての、バネ（１４）、クランプ開放用のレバー（１５）を設ける
（ト）以上の如く構成しておき、竿端での限定した位置で竿全長に物干しを可能に出来る横送り物干し竿である。
【発明の詳細な説明】
【発明の詳細な設明】
【技術分野】
【８００１】  この発明はロープ横送り部分（１１）を送り出すことにより、歩行することなく、竿全長に物干しが出来る装置である。
【背景技術】
【８００２】  従来の物干し作業では、物干し竿の下面は全体が歩行エリアでなければならない。
【発明が解決しようとする課題】
【８００３】  物干竿下の障害物による作業性を改善させようとする発明である
【課題を解決する為の手段】
【８００４】  いまその構成を設明すると
（イ）二つ割りケース（１）の内側に滑車（２）を装着させる為、皿頭軸（３）及び平ワッシヤーと六角ナット（４）を使用し組み立てる。
（ロ）滑車位置の上側と下側へ分割ケースの結合用締付ボルト（５）を設す。
（ハ）金属パイプ（６）の内側へ送りロープ（７）を通す。
（ニ）パイプ内を貫通させた送りロープ（７）の両端は組み立てられた、ケース内の滑車（２）の外側を通して、Ｕターンさせる。
（ホ）このように送りロープ（７）を通過させた二つ割りケース（１）を金属パイプ（６）の両端内径へ圧入する
（ヘ）対向したる、ケースのニギリ部（８）は送りロープ（７）のねじれが発生しない様左右同じ位置にしておく。
（ト）金属パイプ（６）の外周下側に位置する送りロープ（７）はテンションを掛けた状態で締付ホルダー（９）により接続させる。
（チ）物干しハンガー（１２）はロープの横送りに追従させる為のクランプ部（１３）と、そのクランプ力の発生をさせるバネ（１４）、クランプ開放させる為のレバー（１５）を設けておく。
（リ）物干しフック（１０）に掛けた、使用状態において、両手の手作業によりケースのニギリ部（８）とロープ横送り部分を広げる事で、送り出しを行い、近ずける事で収納させる。
以上のように装置する。
【発明実施の形態】
【８００５】  従来の市販物干竿である金属パイプ（６）を使用する送りロープ（７）をその内側と下側へ滑車（２）を介して、エンドレス状に設す。
竿下側の露出部分を物干しハンガーの固定に利用し尚ロープの構送り部分（１１）を手繰ることにより活用出来る物干設備である。
【発明の効果】
【８００６】物干を設置すべきベランダ、庭、には盆栽、クーラー室外機、自転車等の設置物が、有ると思われる、これらの物による物干し作業の障害を防くことが出来る
物干しフック（１０）をより高い位置に上げることにより、植木、小型自動車上に至る巾広い場所での設置が可能である
【図面の簡単な説明】
【図１】本発明の物干し竿（一部断面図）
【図２】図１の▲Ａ▼−▲Ｂ▼断面図
【図３】締付ホルダー（９）の斜視図
【図４】物干しハンガー（１２）の部分図
【図５】物干しハンガー（１２）の取り扱い図
【図６】本発明の設置使用斜視図
【符号の説明】
１は二つ割りケース
２は滑車
３は皿頭軸
４は平ワツシヤーと六角ナット
５は締付ボルト
６は金属パイプ
７は送りロープ
８はケースニギリ部
９は締付ホルダー
１０は物干しフック
１１はロープ横送り部分
１２は物干しハンガー
１３はクランプ部
１４はバネ
１５はレバー
【図１】
2008264478.tif 000003
【図２】
2008264478.tif 000004
【図３】
2008264478.tif 000005
【図４】
2008264478.tif 000006
【図５】
2008264478.tif 000007
【図６】
2008264478.tif 000008
【手続補正書】
【提出日】平成19年7月14日(2007.7.14)
【手続補正２】
【補正対象書類名】特許請求の範囲
【補正対象項目名】全文
【補正方法】変更
【補正の内容】
【特許請求の範囲】
【請求項１】
二つ割りケース（１）の内側へ滑車（２）を装着させる為、皿頭軸（３）及び平ワッシャーと六角ナット（４）、コーナー部を、締付ボルト（５）によって、組み立てる、
次に、金属パイプ（６）の内側へ、所定の長さの送りロープ（７）を通す、
パイプ内を貫通させた送りロープ（７）の両端を組み立てられた、ケース内の滑車（２）外周をＵターンさせる。
【請求項２】
組み立てられた、一対二組の二つ割ケース（１）の円筒側を金属パイプ（６）の内側へ圧入する。
金属パイプ（６）の外周下側に位置する送りロープ（７）はテンションをかけた状態で締付ホルダー（９）により接続させる。
【請求項３】
物干しハンガー（１２）はロープの横送りに追従させる為のクランプ部（１３）とクランプ力源としてのバネ（１４）クランプ開放用レバー（１５）を設ける。
以上の如く構成しておき、竿端での限定した位置で竿全長に物干しを可能に出来る横送り物干し竿である。
【手続補正３】
【補正対象書類名】明細書
【補正対象項目名】全文
【補正方法】変更
【補正の内容】
【発明の詳細な説明】
【技術分野】
【０００１】、
この発明は、ロープ横送り部分（１１）を送り出すことにより、歩行することなく、竿全長に物干しが、出来る装置である。
【背景技術】
【０００２】従来の物干し作業では、物干し竿の下面は全体が、歩行エリアでなければならない。
【発明が解決しようとする課題】
【０００３】物干竿下の障害物による、作業性を改善させようとする発明である。
【課題を解決する為の手段】
【０００４】いまその構成を説明すると、
二つ割りケース（１）の内側に滑車（２）を装着させる為、皿頭軸（３）及び平ワッシャーと六角ナット（４）を使用し組み立てる、次に、滑車位置の上側と下側へ分割ケースの結合用締付ボルト（５）を設す。
金属パイプ（６）の内側の送りロープ（７）を通す、パイプを貫通させた、送りロープ（７）の両端は組み立てられた、ケース内の滑車（２）の外側を通しＵターンさせる。
このように送りロープ（７）を通過させた二つ割りケース（１）を金属パイプ（６）の両端内従へ圧入する。
対向した３ケースのニギリ部（８）は送りロープ（７）のねじれが発生しない様左右同じ位置にしておく。
金属パイプ（６）の外周下側に位置する送りロープ（７）はテンションを掛けた状態で締付ホルダー（９）により接続させる。
物干しハンガー（１２）はロープの横送りに追従させる為のクランプ部（１３）とそのクランプ力を発生させるバネ（１４）、クランプを開放させる為のレバー（１５）を設けておく。
物干しフック（１０）に掛けた、使用状態において両手の手作業によりケースのニギリ部（８）とロープ横送り部分を広げる事で送り出しを行い、近ずけることで収納させる。
以上のように装置する。
【発明実施の形態】
【０００５】従来の市販の物干竿である、金属パイプ（６）を使用する。
送りロープ（７）をその内側と下側へ、滑車（２）を介して、エンドレス状に設す。
竿下側の露出部分を物干しハンガーの固定に利用し、尚ロープの横送り部分（１１）を手繰ることにより、活用出来る物干し設備である。
【発明の効果】
【０００６】物干しを設置すべき、ベランダが、庭には、盆栽、クーラー室外機、自転車等の設置物が有ると思われる。これらの物干し作業の障害を防くことが出来る。物干しフック（１０）をより高い位置に上げることにより、植木、小型自動車上に至る巾広い場所での設置が、可能である。
【図面の簡単な説明】
【０００７】
【図１】本発明の物干し竿（一部断面図）
【図２】図１の▲Ａ▼−▲Ｂ▼断面図
【図３】締付ホルダー（９）の斜視図
【図４】物干しハンガー（１２）の部分図
【図５】物干しハンガー（１２）の取り扱い図
【図６】本発明の設置使用斜視図
【符号の説明】
【０００８】１  は二つ割りケース
２  は滑車
３  は皿頭軸
４  は平ワッシャーと六角ナット
５  は締付ボルト
６  は金属パイプ
７  は送りロープ
８  はケースニギリ部
９  は締付ホルダー
１０  は物干しフック
１１  はロープ横送り部分
１２  は物干しハンガー
１３  はクランプ部
１４  はバネ
１５  はレバー